(57)【要約】【課題】本発明の課題は、通信用コードの建造物への取り付け位置を容易に変更でき、配線プランの変更に迅速に対応でき、自由度の高い配線施工が行える通信用コード取付装置を提供することにある。【解決手段】本発明は、通信用コードを建造物に取り付ける通信用コード取付装置であって、建造物に取り付けられ、ガイド溝３２，４２が設けられた取付装置本体３１，４１と、前記ガイド溝３２，４２に移動自在に且つ取り外し自在に取り付けられ、通信用コードが取り付けられるコード取付部材５１とを具備することを特徴とするものである。【選択図】図１
2007020278.tif 000002
【特許請求の範囲】
【請求項１】
通信用コードを建造物に取り付ける通信用コード取付装置であって、
建造物に取り付けられ、ガイド溝が設けられた取付装置本体と、
前記ガイド溝に移動自在に且つ取り外し自在に取り付けられ、通信用コードが取り付けられるコード取付部材と
を具備することを特徴とする通信用コード取付装置。
【請求項２】
取付装置本体が曲げられて形成されることを特徴とする請求項１に記載の通信用コード取付装置。
【請求項３】
取付装置本体として、断面逆Ｔ字型状のガイド溝を有する取付装置本体を用い、
コード取付部材として、前記ガイド溝内に脱落しないように移動自在に挿入されたナットと、前記ナットに外部から螺入され、頭部下部に円錐台型状部が一体に設けられたボルトと、前記ボルトの頭部上面に通信用コードを把持するように取り付けられるキャップとよりなるコード取付部材を用い
ることを特徴とする請求項１又は２に記載の通信用コード取付装置。
【発明の詳細な説明】
【技術分野】
【０００１】
本発明は、建造物内にネットワーク配線をする際等に、通信用コードを建造物に取り付ける通信用コード取付装置に関するものである。
【背景技術】
【０００２】
図３（ａ）は従来のワイヤプロテクタを用いた露出配線を示す正面図であり、図３（ｂ），（ｃ）はそれぞれ従来のワイヤプロテクタの異なる例を示す一部切欠斜視図である。すなわち、建造物内の壁１１にワイヤプロテクタ本体１２を両面テープや釘等を用いた固定して後、前記ワイヤプロテクタ本体１２内に光ケーブル１３を収容してキャップ１４を被せて配線する（例えば、特許文献１，２参照。）。このような施工方法では、施工前に、配線ルートの長さに合わせて、光ケーブルを切る必要がある。そして、配線後、両端の成端処理（コネクタの現場付け）をしなければならない。そのとき、光ケーブルの余長処理もしなければならない。また、一旦施工が終了した後、配線プランを変更しようとしたら、光ケーブルの再度の長さ合わせと余長処理をしなければならないケースが殆どである。
【０００３】
図４（ａ）は従来の光ステップルを示す斜視図であり、図４（ｂ）は従来の光ステップルを用いた露出配線を示す正面図である。すなわち、建造物内の壁２１に配線ルートに沿って光ステップル２２を固定する。その後、光ケーブル２３を配線ルートに沿って張った状態で光ステップル２２に固定（把持）する。このように、光ステップル２２を使用して、光ケーブル２３を直接壁２１に固定する（例えば、特許文献３参照。）。このような施工方法では、ワイヤプロテクタを用いた場合と同様に、長さ合わせや余長処理、そして、施工後の変更に対処し難いなどの課題がある。
【０００４】
【特許文献１】特開２００３−１４３７３４号公報
【特許文献２】実開平３−７４１２３号公報
【特許文献３】特開２００３−２７０４５１号公報
【発明の開示】
【発明が解決しようとする課題】
【０００５】
従来の２種類の配線方法は、ともに以下の課題を抱えている。すなわち、配線する際、光ケーブルの余長処理をしなければならないこと。また、一旦配線してから、端末の接続位置を変更したりすることはできない。そうした場合、再配線となってしまうこと。こういった課題は、特に配線プランが頻繁に変更される実験室やオフィスの中では、大きな問題となる。
【０００６】
本発明は上記の事情に鑑みてなされたもので、通信用コードの建造物への取り付け位置を容易に変更でき、配線プランの変更に迅速に対応でき、自由度の高い配線施工が行える通信用コード取付装置を提供することを目的とする。
【課題を解決するための手段】
【０００７】
上記目的を達成するために本発明は、通信用コードを建造物に取り付ける通信用コード取付装置であって、建造物に取り付けられ、ガイド溝が設けられた取付装置本体と、前記ガイド溝に移動自在に且つ取り外し自在に取り付けられ、通信用コードが取り付けられるコード取付部材とを具備することを特徴とするものである。
【０００８】
また本発明は、前記取付装置本体が曲げられて形成されることを特徴とするものである。
【０００９】
また本発明は、前記取付装置本体として、断面逆Ｔ字型状のガイド溝を有する取付装置本体を用い、前記コード取付部材として、前記ガイド溝内に脱落しないように移動自在に挿入されたナットと、前記ナットに外部から螺入され、頭部下部に円錐台型状部が一体に設けられたボルトと、前記ボルトの頭部上面に通信用コードを把持するように取り付けられるキャップとよりなるコード取付部材を用いることを特徴とするものである。
【発明の効果】
【００１０】
本発明の通信用コード取付装置は、通信用コードの建造物への取り付け位置を容易に変更でき、配線プランの変更に迅速に対応でき、自由度の高い配線施工が行える。そのため、施工後の配線プラン変更に対応可能で、ネットワークの運営性を高めることができ、自由度の高いネットワークの運営性を実現することができる。
【発明を実施するための最良の形態】
【００１１】
以下図面を参照して本発明の実施の形態例を詳細に説明する。
図１は本発明の実施形態例に係る通信用コード取付装置を示す説明図であり、（ａ）は取付装置本体の一例を示す正面図、（ｂ）は取付装置本体の一例を示す断面図、（ｃ）は取付装置本体の他の例を示す正面図、（ｄ）は取付装置本体の他の例を示す断面図、（ｅ）はコード取付部材を示す側面図、（ｆ）はコード取付部材を示す正面図、（ｇ）は通信用コード取付装置を示す側面図である。
【００１２】
図１（ａ），（ｂ）に示すように、取付装置本体３１は細長い直線状に形成され、前記取付装置本体３１の正面には断面逆Ｔ字型状のガイド溝３２が長手方向に沿って設けられる。前記取付装置本体３１の裏面には両面接着テープ３３が貼り付けられる。
【００１３】
また、図１（ｃ），（ｄ）に示すように、取付装置本体４１は曲げられた円弧状に形成され、前記取付装置本体４１の正面には断面逆Ｔ字型状のガイド溝４２が曲げられた方向に沿って設けられる。前記取付装置本体４１の裏面には両面接着テープ４３が貼り付けられる。
【００１４】
また、図１（ｅ），（ｆ），（ｇ）に示すように、コード取付部材５１は、前記取付装置本体３１，４１のガイド溝３２，４２内に脱落しないように移動自在に挿入されたナット５２と、前記ナット５２に外部から螺入されるボルト５３と、前記ボルト５３の頭部上面に通信用コードを把持するように取り付けられるキャップ５４とより構成される。
【００１５】
前記ボルト５３は、頭部５５の下部に円錐台型状部５６が一体に設けられ、前記円錐台型状部５６の下部にナット５２に螺入されるねじ部５７が一体に設けられて構成される。したがって、ボルト５３はナット５２に取り外し自在に取り付けられる。また、ボルト５３をナット５２にねじ込むことにより、円錐台型状部５６が取付装置本体３１，４１のガイド溝３２，４２開口部に強く押し当てられ、円錐台型状部５６とナット５２により取付装置本体３１，４１のガイド溝３２，４２開口部周辺を挟持するようにして固定することができる。一方、ボルト５３をナット５２に対して緩めることにより、コード取付部材５１は取付装置本体３１，４１のガイド溝３２，４２内を自由に移動することができる。
【００１６】
前記キャップ５４は、ボルト５３の頭部５５に嵌合するように可撓性の材料より形成され、頭部５５と接する位置にはコード把持穴５８が設けられる。したがって、コード把持穴５８に通信用コードを把持するようにしてキャップ５４をボルト５３の頭部上面に嵌合することができる。キャップ５４をボルト５３の頭部上面に被せることにより、通信用コードを固定することができる。この場合、キャップ５４は通信用コードの向きに合わせ、任意の向きで被せることが可能である。
【００１７】
図２は本発明の実施形態例に係る通信用コード取付装置の施工例を示す正面図である。図２に示すように、取付装置本体３１を２個、取付装置本体４１を１個用い、建造物の壁に取付装置本体３１，４１を９０°に曲げて貼り付ける。前記取付装置本体３１，４１のガイド溝３２，４２内には複数のコード取付部材５１が移動自在に設けられる。前記複数のコード取付部材５１を用いて、ばね性を有する光カールコード６１を９０°に曲げて取り付ける。前記光カールコード６１の光コネクタ（ＳＣ／ＭＵ）６２，６３が設けられ、前記光コネクタ（ＳＣ／ＭＵ）６２，６３はそれぞれアダプタ６４，６５を介して光コード６６，６７に設けられた光コネクタ（ＳＣ／ＭＵ）６８，６９に接続される。図２中、７０は本発明の実施形態例に係る通信用コード取付装置の配線対応可能範囲であり、光カールコード６１の伸びる限界長によって変化するが、例えば数ｍ〜数十ｍの配線が可能である（φ１６で１ｍの光カールコードの場合、伸びる限界長は２０ｍ前後である。）。
【００１８】
以上のように、光カールコード６１の伸縮自在の特性を利用して、レール状の取付装置本体３１，４１の沿線で、光カールコード６１の伸びる限界長内であれば、どこでも長さ合わせ、余長処理なしで対応できる。光カールコード６１の光コネクタ（ＳＣ／ＭＵ）６２，６３を予め設けておけば、余長処理をしなくて済むので、現場での余長合わせや、コネクタ付け、余長収納の工数を省くことができ、配線施工現場での配線長さの調整を一切不要として、ゼロ余長を実現できる定尺配線ができ、施工効率を向上させることができる。したがって、工場で決まった長さの両端コネクタ付きの光カールコードを予め製作しておけば、配線施工現場でそのまま使うことができる。また、一旦配線してからも、配線プランが変更されても、そのレール状の取付装置本体３１，４１の周囲であれば、再配線をせずに、コード取付部材５１のボルトを緩めて、レール状の取付装置本体３１，４１に沿って前後移動させて、光カールコード６１を伸縮させれば、配線プランの変更に対応させることができ、自由度の高い配線が可能である。したがって、主に構内宅内等の建造物内の光ネットワークを構築する際、光カールコードを露出配線に使用する場合に好適する。特に、実験室やオフィスなど、ネットワーク配線が頻繁に変更される場所では、施工後でも簡単に変更可能なため、有効な配線である。
【００１９】
尚、上記実施形態例では光カールコードを９０°曲げて配線する場合について説明したが、これに限らず、配線状況によっては、光カールコードを他の角度に曲げて配線してもよい。
【００２０】
また、上記実施形態例では光カールコードを配線する場合について説明したが、これに限らず、例えば直線状の光コード等の通信用コードを配線してもよい。
【００２１】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００２２】
【図１】本発明の実施形態例に係る通信用コード取付装置を示す説明図であり、（ａ）は取付装置本体の一例を示す正面図、（ｂ）は取付装置本体の一例を示す断面図、（ｃ）は取付装置本体の他の例を示す正面図、（ｄ）は取付装置本体の他の例を示す断面図、（ｅ）はコード取付部材を示す側面図、（ｆ）はコード取付部材を示す正面図、（ｇ）は通信用コード取付装置を示す側面図である。
【図２】本発明の実施形態例に係る通信用コード取付装置の施工例を示す正面図である。
【図３】（ａ）は従来のワイヤプロテクタを用いた露出配線を示す正面図であり、（ｂ），（ｃ）はそれぞれ従来のワイヤプロテクタの異なる例を示す一部切欠斜視図である。
【図４】（ａ）は従来の光ステップルを示す斜視図であり、（ｂ）は従来の光ステップルを用いた露出配線を示す正面図である。
【符号の説明】
【００２３】
３１，４１…取付装置本体、３２，４２…ガイド溝、３３，４３…両面接着テープ、５１…コード取付部材、５２…ナット、５３…ボルト、５４…キャップ。
【図１】
2007020278.tif 000003
【図２】
2007020278.tif 000004
【図３】
2007020278.tif 000005
【図４】
2007020278.tif 000006